(57)【要約】【課題】横引きの折畳式スクリーン装置において、スクリーンの開閉方向におけるスクリーン装置の幅寸法についての限界を解消する。【解決手段】アコーディオン式に伸縮自在としたスクリーン１２の両端に可動の縦框部材１３，１４を取り付け、該縦框部材を建物開口部２の横枠部材３に沿ってスライド移動可能とした複数のスクリーンユニット１０を備える。該スクリーンユニットは、上記縦框部材１３の上端及び下端からそれらの内部に屈曲して出入りし、張設状態にある上記スクリーンの上端及び下端に沿って導出されて、該スクリーンの上端及び下端をガイドするスクリーンガイド２０Ａ，２０Ｂを有すると共に、スクリーンの開閉操作時に縦框部材１３，１４を平行移動させるための平行移動機構を備える。複数の該スクリーンユニット１０における隣接する縦框部材を相互に連接することにより、それらのスクリーンユニット１０を建物開口部に並設配置可能とする。【選択図】図１
2007154425.tif 000002
【特許請求の範囲】
【請求項１】
多数の平行で等間隔な折曲部において交互に逆方向に折曲することによりアコーディオン式に伸縮自在としたスクリーンを横引きにより開閉自在とし、該スクリーンの両端に可動の縦框部材を取り付け、該縦框部材を建物開口部の横枠部材に沿ってスライド移動可能としたスクリーンユニットを備え、
上記スクリーンユニットは、上記縦框部材の上端及び下端からそれらの内部に屈曲して出入りし、張設状態にある上記スクリーンの上端及び下端に沿って導出されて、該スクリーンの上端及び下端をガイドするスクリーンガイドを有すると共に、上記スクリーンの開閉操作時において可動の縦框部材を平行移動させるための平行移動機構を備え、
複数の該スクリーンユニットにおける隣接する縦框部材を相互に着脱可能に連結することにより、それらのスクリーンユニットを建物開口部に並設配置可能とした、
ことを特徴とする折畳式スクリーン装置。
【請求項２】
上記スクリーンユニットにおける一対のスクリーンガイドの一端を、一方の縦框部材の上端及び下端に固定し、他方の縦框部材の上端及び下端からそれらの内部に屈曲して出入りするように配設した、
ことを特徴とする請求項１に記載の折畳式スクリーン装置。
【請求項３】
上記スクリーンの開閉操作時に縦框部材を平行移動させるための平行移動機構を、上記スクリーンガイドが出入りする縦框部材の内部において、上下部間にループ状としたワイヤーを旋回自在に架け渡し、それらの逆方向移動部分を各スクリーンガイドの端部にそれぞれ連結することにより構成した、
ことを特徴とする請求項２に記載の折畳式スクリーン装置。
【請求項４】
上記スクリーンユニットにおける一方の縦框部材側に一端を取り付けたワイヤーを上記スクリーン中に水平に挿通したうえで、他方の縦框部材に設けた転向手段を介して該縦框部材の上端に導き、該上端から該縦框部材中に垂下させて、該縦框部材中においてそのワイヤーの先端に重錘を吊下した、
ことを特徴とする請求項２または３に記載の折畳式スクリーン装置。
【請求項５】
建物開口部における横枠部材に少なくとも三つ以上のスクリーンユニットを支持させ、少なくとも上記スクリーンユニットの一部に、スクリーンの張設状態において上記重錘によるスクリーンの自動的な折り畳みを抑止する抑止手段を設けた、
ことを特徴とする請求項４に記載の折畳式スクリーン装置。
【請求項６】
上記スクリーンの両端部に固定した取付板をそれぞれ縦框部材に取付部材により着脱可能に係止させ、
上記スクリーン中に挿通して先端に重錘を吊下する前記ワイヤーの一端を一方の縦框部材に係止させた上記取付板に固定し、
他方の縦框部材の上端から垂下させたワイヤーの先端に上記重錘を着脱自在に取り付けて、該縦框部材に、上記重錘をワイヤー先端に着脱するための操作用開口部を設けると共に、上記ワイヤーを挿通する挿通路を該ワイヤーが挿脱可能なものとした、
ことを特徴とする請求項４または５に記載の折畳式スクリーン装置。
【請求項７】
上記スクリーンユニットにおける一対のスクリーンガイドの各一端を、一方の縦框部材の上端及び他方の縦框部材の下端に固定し、それぞれ対向する縦框部材の上端及び下端からそれらの内部に屈曲して出入りするように配設した、
ことを特徴とする請求項１に記載の折畳式スクリーン装置。
【請求項８】
上記スクリーンの開閉操作時に縦框部材を平行移動させるための平行移動機構を、上記スクリーンの上半に水平に挿通するワイヤーの一端を、スクリーンガイドが上端から出入りする縦框部材に固定すると共に、そのワイヤーの他端を他方の縦框部材内において下部に導き、該下部で上方に転向させてその先端を該縦框部材の下端から出入りするスクリーンガイドの先端に固定し、一方、上記スクリーンの下半に水平に挿通するワイヤーの一端を、スクリーンガイドが下端から出入りする縦框部材に固定すると共に、そのワイヤーの他端を他方の縦框部材内において上部に導き、該上部で下方に転向させてその先端を該縦框部材の上端から出入りするスクリーンガイドの先端に固定することにより構成した、
ことを特徴とする請求項７に記載の折畳式スクリーン装置。
【請求項９】
上記スクリーンの両端部に固定した取付板をそれぞれ縦框部材に取付部材により着脱可能に係止させ、
上記スクリーンの上半及び下半に挿通したワイヤーの一端を、それぞれ縦框部材に係止させた上記取付板に固定すると共に、それらのワイヤーの他端を他方の縦框部材の取付板に挿通したうえで、該取付板に沿ってその下部及び上部に導き、該下部及び上部で反対方向に転向させて、それらの先端をその縦框部材に上端及び下端から出入りするスクリーンガイドの先端に着脱自在に固定し、
上記各ワイヤーの先端をスクリーンガイドの先端から離脱させることにより、該ワイヤーを挿通したスクリーンをその両端の取付板と共に両縦框部材から離脱可能にした、
ことを特徴とする請求項８に記載の折畳式スクリーン装置。
【請求項１０】
建物開口部における上部の横枠部材の支持溝に各スクリーンユニットの一対の縦框部材の上端を嵌挿保持させ、該支持溝の口縁部に、各縦框部材の上端に設けた凸部を係合させてスクリーンユニットの上端の脱出を抑止するレールを設け、
該レールに、上記凸部を通過させ得るスリットを設けて、該スリットを横枠部材に着脱自在としたキャップにより閉鎖した、
ことを特徴とする請求項１〜９のいずれかに記載の折畳式スクリーン装置。
【請求項１１】
上記凸部が、レール上を転動するローラである、
ことを特徴とする請求項１０に記載の折畳式スクリーン装置。
【発明の詳細な説明】
【技術分野】
【０００１】
本発明は、アコーディオン式に伸縮自在のスクリーンを横引きにより開閉自在とした、防虫、遮光、目隠しあるいは断熱等のための折畳式スクリーン装置に関するものである。
【背景技術】
【０００２】
アコーディオン式に伸縮自在としたスクリーンを横引きにより開閉自在とした折畳式スクリーン装置において、スクリーンの両端に取り付けた枠材の少なくとも一方の上端及び下端からその内部に屈曲して出入りし、張設状態にあるスクリーンの端部に沿って導出されて該スクリーンの端部をガイドするスクリーンガイドを備えたものは、例えば、特許文献１により知られている。
この種のスクリーン装置は、スクリーンを全て折畳み収納した該スクリーンの開放状態において、建物開口部の下方にスクリーンの下端をガイドする大きな部材が配置されないようにできるため、見た目にスッキリするばかりでなく、歩行者や車椅子等の通行の障害となるものがないため、バリアフリーに対応することができる点で極めて有効なものである。
【０００３】
而して、この種のスクリーン装置においては、その張設幅を、スクリーンを全て折畳み収納した該スクリーンの開放状態においては、該スクリーンガイドを上記枠材の内部に全て導入することができる範囲内で構成する必要があるため、スクリーンの開閉方向における当該スクリーン装置の幅寸法に限界があり、特に、高さに比べて幅が広い建物開口部においては、その取り付けが困難な場合が考えられる。
しかも、何らかの手段で製品の幅寸法を大きくすることができたとしても、スクリーンの開閉操作時における操作框の移動距離が長くなるため、開閉操作に支障が生じたり、その操作に手間がかかることにもなる。
【０００４】
【特許文献１】特開２００５−３６５１８号公報
【発明の開示】
【発明が解決しようとする課題】
【０００５】
本発明の技術的課題は、スクリーンの両端に取り付けた縦框部材の上端及び下端からそれらの内部に屈曲して出入りし、張設状態にある上記スクリーンの上端及び下端に沿って導出されて該スクリーンの上端及び下端をガイドするスクリーンガイドを備えた上記折畳式スクリーン装置において、当該スクリーン装置をユニット化したスクリーンユニットの複数を相互に連接することにより、建物開口部の幅寸法に応じてそのスクリーンユニットの必要数を並設配置可能にし、それによって、スクリーンの開閉方向におけるスクリーン装置の幅寸法についての限界を解消することにある。
【０００６】
本発明の他の技術的課題は、折畳式スクリーン装置において、上述したスクリーンの開閉方向におけるスクリーン装置の幅寸法についての限界を解消すると同時に、その幅寸法を大きくしたスクリーン装置において、並設配置したスクリーンユニットの任意位置でスクリーンを開閉可能にすることにある。
本発明の他の技術的課題は、上記スクリーン装置において、スクリーンユニットのメンテナンス、スクリーンやそれに挿通したワイヤーの交換等を容易に行えるようにすることにある。
【課題を解決するための手段】
【０００７】
上記課題を解決するための本発明の折畳式スクリーン装置は、多数の平行で等間隔な折曲部において交互に逆方向に折曲することによりアコーディオン式に伸縮自在としたスクリーンを横引きにより開閉自在とし、該スクリーンの両端に可動の縦框部材を取り付け、該縦框部材を建物開口部の横枠部材に沿ってスライド移動可能としたスクリーンユニットを備え、上記スクリーンユニットは、上記縦框部材の上端及び下端からそれらの内部に屈曲して出入りし、張設状態にある上記スクリーンの上端及び下端に沿って導出されて、該スクリーンの上端及び下端をガイドするスクリーンガイドを有すると共に、上記スクリーンの開閉操作時において可動の縦框部材を平行移動させるための平行移動機構を備え、複数の該スクリーンユニットにおける隣接する縦框部材を相互に着脱可能に連結することにより、それらのスクリーンユニットを建物開口部に並設配置可能としたことを特徴とするものである。
【０００８】
本発明の折畳式スクリーン装置の第１の好ましい実施形態においては、上記スクリーンユニットにおける一対のスクリーンガイドの一端を、一方の縦框部材の上端及び下端に固定し、他方の縦框部材の上端及び下端からそれらの内部に屈曲して出入りするように配設され、また、第２の好ましい実施形態においては、上記スクリーンユニットにおける一対のスクリーンガイドの各一端を、一方の縦框部材の上端及び他方の縦框部材の下端に固定し、それぞれ対向する縦框部材の上端及び下端からそれらの内部に屈曲して出入りするように配設される。
【０００９】
本発明の折畳式スクリーン装置の上記第１の好ましい実施形態においては、上記スクリーンの開閉操作時に縦框部材を平行移動させるための平行移動機構が、上記スクリーンガイドが出入りする縦框部材の内部において、上下部間にループ状としたワイヤーを旋回自在に架け渡し、それらの逆方向移動部分を各スクリーンガイドの端部にそれぞれ連結することにより構成される。
【００１０】
また、本発明の折畳式スクリーン装置の上記第１の好ましい実施形態においては、上記スクリーンユニットにおける一方の縦框部材側に一端を取り付けたワイヤーを上記スクリーン中に水平に挿通したうえで、他方の縦框部材に設けた転向手段を介して該縦框部材の上端に導き、該上端から該縦框部材中に垂下させて、該縦框部材中においてそのワイヤーの先端に重錘を吊下することにより、スクリーンの自動的な折畳み収納が可能になるように構成される。
この場合、建物開口部における横枠部材に少なくとも三つ以上のスクリーンユニットを支持させ、少なくとも上記スクリーンユニットの一部に、スクリーンの張設状態において上記重錘によるスクリーンの自動的な折り畳みを抑止する抑止手段を設けたものとすることができ、これにより、スクリーン装置の幅寸法を大きくした場合にも、並設配置したスクリーンユニットの任意位置でスクリーンを開閉可能にすることができる。
【００１１】
また、本発明の折畳式スクリーン装置の上記第１の好ましい実施形態においては、上記スクリーンの両端部に固定した取付板をそれぞれ縦框部材に取付部材により着脱可能に係止させ、上記スクリーン中に挿通して先端に重錘を吊下する前記ワイヤーの一端を一方の縦框部材に係止させた上記取付板に固定し、他方の縦框部材の上端から垂下させたワイヤーの先端に上記重錘を着脱自在に取り付けて、該縦框部材に、上記重錘をワイヤー先端に着脱するための操作用開口部を設けると共に、上記ワイヤーを挿通する挿通路を該ワイヤーが挿脱可能なものとして構成される。
【００１２】
一方、本発明の折畳式スクリーン装置の上記第２の好ましい実施形態においては、上記スクリーンの開閉操作時に縦框部材を平行移動させるための平行移動機構が、上記スクリーンの上半に水平に挿通するワイヤーの一端を、スクリーンガイドが上端から出入りする縦框部材に固定すると共に、そのワイヤーの他端を他方の縦框部材内において下部に導き、該下部で上方に転向させてその先端を該縦框部材の下端から出入りするスクリーンガイドの先端に固定し、一方、上記スクリーンの下半に水平に挿通するワイヤーの一端を、スクリーンガイドが下端から出入りする縦框部材に固定すると共に、そのワイヤーの他端を他方の縦框部材内において上部に導き、該上部で下方に転向させてその先端を該縦框部材の上端から出入りするスクリーンガイドの先端に固定することにより構成される。
【００１３】
また、当該折畳式スクリーン装置においては、上記スクリーンの両端部に固定した取付板をそれぞれ縦框部材に取付部材により着脱可能に係止させ、上記スクリーンの上半及び下半に挿通したワイヤーの一端を、それぞれ縦框部材に係止させた上記取付板に固定すると共に、それらのワイヤーの他端を他方の縦框部材の取付板に挿通したうえで、該取付板に沿ってその下部及び上部に導き、該下部及び上部で反対方向に転向させて、それらの先端をその縦框部材に上端及び下端から出入りするスクリーンガイドの先端に着脱自在に固定し、上記各ワイヤーの先端をスクリーンガイドの先端から離脱させることにより、該ワイヤーを挿通したスクリーンをその両端の取付板と共に両縦框部材から離脱可能に構成することができる。
【００１４】
更に、本発明の折畳式スクリーン装置の好ましい実施形態においては、建物開口部における上部の横枠部材の支持溝に各スクリーンユニットの一対の縦框部材の上端を嵌挿保持させ、該支持溝の口縁部に、各縦框部材の上端に設けた凸部を係合させてスクリーンユニットの上端の脱出を抑止するレールを設け、該レールに、上記凸部を通過させ得るスリットを設けて、該スリットを横枠部材に着脱自在としたキャップにより閉鎖したものとして構成される。上記凸部は、レール上を転動するローラによって構成することができる。
【発明の効果】
【００１５】
以上に詳述した本発明の折畳式スクリーン装置によれば、スクリーンの両端に取り付けた縦框部材の上端及び下端からそれらの内部に屈曲して出入りし、張設状態にある上記スクリーンの上端及び下端に沿って導出されて該スクリーンの上端及び下端をガイドするスクリーンガイドを備えた折畳式スクリーン装置において、当該スクリーン装置をユニット化したスクリーンユニットの複数を相互に連接することにより、建物開口部の幅寸法に応じてそのスクリーンユニットの必要数を並設配置可能にしているので、スクリーンの開閉方向におけるスクリーン装置の幅寸法についての限界を解消することができる。
【００１６】
また、上述したスクリーン装置の幅寸法についての限界を解消すると同時に、その幅寸法を大きくしたスクリーン装置において、並設配置したスクリーンユニットの任意位置でスクリーンを開閉することができるばかりでなく、スクリーンユニットのメンテナンス、スクリーンやそれに挿通したワイヤーの交換等を容易に行うことができる。
【発明を実施するための最良の形態】
【００１７】
図１乃至図１６は、本発明に係る折畳式スクリーン装置の第１実施例を示している。
このスクリーン装置１は、図４及び図５に示すように、概略的には、建物開口部２の上部に取り付ける横枠部材３と、該横枠部材３に沿ってスライド移動可能とした複数のスクリーンユニット１０とを備えている。このスクリーンユニット１０のそれぞれは、横引きで開閉可能にしたスクリーン１２を備え、建物開口部２における該スクリーン１２の開閉方向の幅寸法に合わせて、その適数を並設配置することができるもので、それにより、当該スクリーン装置１の幅寸法を、建物開口部２の幅に合わせて任意に拡張できるようにしている。
【００１８】
上記スクリーンユニット１０は、図１及び図２に示すように、多数の平行で等間隔な折曲部において交互に逆方向に折曲することにより、アコーディオン式に伸縮自在となるように構成したスクリーン１２を備えているが、ここでは該スクリーン１２を防虫ネットとして構成し、それを横引きにより開閉自在とした場合を示している。
そして、該スクリーン１２の一端に、その上端及び下端から後述するスクリーンガイド２０Ａ，２０Ｂが出入りする可動の縦框部材１３を取り付けると共に、該スクリーン１２の他端に、同様に可動の縦框部材１４を取り付けることにより、該スクリーン１２をスクリーンユニット１０内において上記建物開口部２の横枠部材３に沿って開閉できるようにすると同時に、当該スクリーンユニット１０を上記横枠部材３に沿ってスライド移動可能に構成している。この場合、複数の該スクリーンユニット１０における隣接する縦框部材１３，１４は、マグネット１７及びそれに吸着する吸着板１８からなる連結手段により相互に着脱可能に連結され、それによって、一部のスクリーンユニット１０の開閉操作で複数のスクリーンユニット１０を全体的に開閉操作することが可能になる。上記連結手段はマグネット及び吸着板に限るものではない。
【００１９】
このように構成することにより、スクリーン１２の開閉方向の幅寸法が大きくなったときでも、建物開口部２の全幅にわたってスクリーン１２を張設することができ（図４参照）、また、上記スクリーンユニット１０は、それ自体が横枠部材３に沿ってスライド移動可能であることから、その縦框部材１３，１４はいずれもスクリーン１２の開閉操作に供することができ、そのため、建物開口部２に設置した任意のスクリーンユニット１０において、その全部または一部を開放することができる（図５参照）。
更に、上記スクリーンユニット１０は、縦框部材１３，１４間においてスクリーン１２を折り畳んだとき、両縦框部材１３，１４間にスクリーン１２を収納できるように構成しているため、該スクリーンの折り畳み時にはスクリーンユニット１０の横幅が非常に小さくなり、建物開口部を大きく開放することができる。
【００２０】
上記スクリーンユニット１０における一方の縦框部材１３の上端及び下端からその内部に屈曲して出入りし、張設状態にある上記スクリーン１２の上端及び下端に沿って導出入されるスクリーンガイド２０Ａ，２０Ｂは、図１、図２及び図６に示すように、多数のガイド駒２１を可撓性を有するワイヤー２２で連結することにより構成している。
上記ガイド駒２１は、スクリーン１２の上端及び下端に沿う底部２１ａと該スクリーン１２の外面に沿って立ち上がる立壁部２１ｂとにより略Ｕ字状に形成したもので、該ガイド駒２１における立壁部２１ｂの上端部に沿って上記ワイヤー２２を挿通する通孔２１ｃを設け、それぞれのガイド駒２１の通孔２１ｃに一連のワイヤー２２を挿通することにより、各ガイド駒２１をワイヤー挿通側のみに屈曲可能に連接したものである。そして、当該スクリーンガイド２０Ａ，２０Ｂの両端のガイド駒２１の外側端に上記ワイヤー２２の端部を抜脱しないように固定している。
【００２１】
これらのスクリーンガイド２０Ａ，２０Ｂは、一方の端部が縦框部材１３の上端及び下端からそれらの内部に屈曲して出入りするが、その他端は他方の縦框部材１４の上端及び下端に固定され、上記縦框部材１３または縦框部材１４の移動に伴う上記スクリーン１２の開閉操作に応じて、上記縦框部材１３の上下端からその内部に導出入され、それによってスクリーン１２の上端及び下端をガイドすると同時に、スクリーンユニット１０自体の上下の枠部材を構成するものである。
【００２２】
また、上記スクリーンガイド２０Ａ，２０Ｂが出入りする縦框部材１３には、図１に示すように、該縦框部材１３の内部において上下部間に旋回自在に架け渡した１本のループ状のワイヤー２４と上記スクリーンガイド２０Ａ，２０Ｂとの協働により、上記スクリーン１２の開閉操作時において上記縦框部材１３，１４を安定的に平行移動せしめる平行移動機構を付設している。
【００２３】
即ち、上記ワイヤー２４は、該縦框部材１３内の上下部に設けた転向子（ローラ）２３ａ，２３ｂ間にループ状として旋回自在に架け渡し、その逆方向移動部分をそれぞれ各スクリーンガイド２０Ａ，２０Ｂにおける上記縦框部材１３内に導入した先端のガイド駒２１に連結点２４ａにおいて連結している。そのため、上記縦框部材１３，１４によるスクリーン１２の開閉操作に連動して、各スクリーンガイド２０Ａ，２０Ｂがスクリーン１２の上下端部をガイドすると同時に、上記ワイヤー２４とスクリーンガイド２０Ａ，２０Ｂが協働して、該スクリーンガイド２０Ａ，２０Ｂを等長だけ縦框部材１３内に出入りさせることになり、結果的に上記縦框部材１３，１４を安定的に平行移動させることができる。
【００２４】
また、上記スクリーン１２の下端をガイドするスクリーンガイド２０Ｂを所期のコースに沿って安定的に摺動できるようにするため、即ち、上記スクリーン１２を安定的に開閉できるようにするため、建物開口部２の床面上には、スクリーン１２の下端に沿って導出されるスクリーンガイド２０Ｂの移動を所期のコースに沿うようにガイドするガイドレール４が敷設されている。そして、上記ガイド駒２１には、その底部２１ａの裏面両側端にガイド用突条２１ｄを設け、該ガイド用突条２１ｄを上記ガイドレール４の外側に嵌め合わせることにより、上記スクリーンガイド２０Ｂがガイドレール４に沿って安定的に摺動できるようにしている。上記ガイドレール４は、図１及び図３に示すように、歩行者や車椅子等の通行の障害にならない敷居の高さ程度の低いものである。
【００２５】
一方、建物開口部２の上部においてスクリーンユニット１０の移動をガイドする横枠部材３は、その前後に垂下壁３ａを設けて、それらの一対の垂下壁３ａの間に、各スクリーンユニット１０における一対の縦框部材１３．１４の上端を摺動自在に嵌挿保持させる支持溝３ｄを形成し、該支持溝３ｄの口縁部に一対のレール３ｂを設け、スクリーンユニット１０自体の傾倒によりその上端が該支持溝３ｄから脱出するのを抑止するため、各縦框部材１３，１４の上端の表裏面側に、傾倒時に該レール３ｂに係合する凸部１５，１６を設けている。
【００２６】
上記凸部１５，１６は、レール３ｂ上を転動するローラによって形成したものであり、図示の第１実施例の折畳式スクリーン装置では、縦サイズを極端に短縮したうえで、図１４及び図１６によって後述するように、スクリーンユニット１０の上端を横枠部材３の支持溝３ｄに挿脱する態様を説明するため、それに合わせて凸部１５，１６の位置を縦框部材１３，１４の上端側に描記しているが、実際上は図７に示すように、凸部（ローラ）１５，１６がレール３ｂ上を転動することになる。なお、上記凸部１５，１６は必ずしもローラとする必要はない。
【００２７】
上記スクリーン１２には、図８(a)、図８(b)、図９(a)及び図９(b)からわかるように、その伸縮方向の両端にそれぞれ合成樹脂ないしアルミニウム等からなる取付板２５ａ，２５ｂが取り付けられ、一方、各縦框部材１３，１４におけるスクリーン１２の取付面には、それぞれ内側に相対向した状態で長手方向に延伸する各一対の係止部片１３ａ，１３ａ及び１４ａ，１４ａにより、スクリーン１２の取付面に沿う係止溝１３ｂ，１４ｂが形成されており、上記スクリーン１２に取り付けた取付板２５ａ，２５ｂをそれぞれの縦框部材における係止溝１３ｂ，１４ｂに係止させた状態で、該係止溝１３ｂ，１４ｂ内に複数の取付部材２８を嵌め込むことにより、上記スクリーン１２の両端部をそれぞれ縦框部材１３，１４に着脱自在に固定している。
【００２８】
上記取付部材２８は、その一側に、可撓性を有する合成樹脂でループ状に形成することにより上記縦框部材１３，１４の幅方向に伸縮可能とした板ばね部２８ａを有し、他側は板状部２８ｂとしたもので、該板状部２８ｂの一面に係脱操作用の突条２８ｃを設けている。該突条２８ｃは、取付部材２８を上記縦框部材１３，１４における係止溝１３ｂ，１４ｂに係脱する際に、突起物等を引掛けて板ばね部２８ａを圧縮するためのものである。
【００２９】
而して、該取付部材２８を縦框部材１３，１４における係止溝１３ｂ，１４ｂに嵌め込むときには、上記板状部２８ｂを係止溝１３ｂ，１４ｂにおける一方の係止部片１３ａ，１４ａの内側に挿入した状態で、上記板ばね部２８ａを圧縮し、その状態で該取付部材２８の板状部２８ｂを上記係止溝１３ｂ，１４ｂにおけるもう一方の係止部片１３ａ，１４ａの内側に嵌め込めばよい。逆に、該係止溝１３ｂ，１４ｂ内から取付部材２８を取り外す場合には、該取付部材２８の板状部２８ｂに形成した突条２８ｃ間に爪等の突起物を引掛けて上記板ばね部２８ａを圧縮することにより、上記係止溝１３ｂ，１４ｂ内から取り外すことができる（図９(a)及び図９(b)参照）。
【００３０】
上記スクリーン１２には、その上下部及びそれらの中間部において、各水平方向に略等間隔でワイヤー３０ａ〜３０ｃを多段に挿通し、該ワイヤー３０ａ〜３０ｃの各一端を、上記縦框部材１３側に取り付けた上記スクリーン１２の端部の取付板２５ａに固定している。また、それらのワイヤー３０ａ〜３０ｃの他端を、スクリーン１２中に水平に挿通したうえで、上記スクリーン１２の他方の端部の取付板２５ｂを、図示を省略している摺動子を介して貫通させ、該摺動子により形成される転向手段を介して、上部のワイヤー３０ａを除く他のワイヤー３０ｂ，３０ｃを上向きに転向させ、該縦框部材１４におけるスクリーン１２の取付面に設けた凹溝２９（図９(b)参照）内を上方に導いたうえで、図８(b)及び図１０に示すように、それらを上部のワイヤー３０ａと共に縦框部材１４の上部の導入口１４ｃから該縦框部材１４中に導入して、該導入口１４ｃの下縁の転向ガイド１４ｄを介して垂下させ、該縦框部材１４中においてそれらのワイヤー３０ａ〜３０ｃの先端にフック３３を介して重錘３２を着脱自在に吊下している。
【００３１】
上記スクリーン１２に挿通したワイヤー３０ａ〜３０ｃは、縦框部材１４中にそれらを個別的に垂下させて先端に重錘３２を取り付けることもできるが、それらを一纏めにして垂下させることもできる。このように、複数のワイヤー３０ａ〜３０ｃをスクリーン１２に多段に挿通し、それらのワイヤー３０ａ〜３０ｃに重錘３２の力を作用させると、各ワイヤー３０ａ〜３０ｃに略均等に作用する張力によって縦框部材１３，１４を平行移動させる平行移動機構としての機能をも発揮させることができると共に、風圧等の作用によりスクリーン１２が風下側に膨らんだりするのを抑制することができる。
なお、上記各ワイヤー３０ａ〜３０ｃの張設態様は、上述した態様のものに限定されるものではない。
【００３２】
上記ワイヤー３０ａ〜３０ｃの先端に吊下する重錘３２の重量は、スクリーン１２の折り畳み力を補助する程度にすることもできるが、スクリーン１２の張設状態から隣接するスクリーンユニット１０の縦框部材１３，１４のマグネット等による連結を解除したときに、上記重錘３２の重力でスクリーン１２を自動的に折り畳んで、スクリーン１２の張設状態を開放するようなものにすることもできる。
【００３３】
但し、建物開口部２における横枠部材３に三つ以上のスクリーンユニット１０を支持させている場合などには、スクリーンユニット１０の全部または一部に、スクリーン１２の張設状態において上記重錘３２によるスクリーン１２の自動的な折り畳みを抑止する抑止手段を設けておくと、隣接するスクリーンユニット１０の縦框部材１３，１４のマグネット等による連結を解除したときに、上記重錘３２の重力で各スクリーンユニット１０におけるスクリーン１２が全て折り畳まれて建物開口部２が全開するのを抑制し、スクリーン１２の部分的な開放が可能になる。
【００３４】
上記重錘３２によるスクリーン１２の自動的な折り畳みを抑止する抑止手段としては、例えば、全部または一部のスクリーンユニット１０において、外部から縦框部材１４を通して上記重錘３２に作用するピンその他の操作子によって該重錘３２を支持し、重錘の作用を一時的に停止させる手段、あるいは、重錘３２を簡単に一時的に取り外したり軽量のものと交換しておけるようにする手段等を採用することができる。
【００３５】
また、上述したように、上記スクリーンユニット１０では、スクリーン１２の両端部に固定した取付板２５ａ，２５ｂをそれぞれ縦框部材１３，１４に対して取付部材２８により着脱可能に係止させ、更に、上記ワイヤー３０ａ〜３０ｃの一端を取付板２５ａに固定し、それらの他端を取付板２５ｂに挿通したうえで縦框部材１４の上端から垂下させ、先端に上記重錘３２を着脱自在に取り付けているので、上記重錘３２をワイヤーから取り外して該ワイヤーを縦框部材１４から簡単に離脱できるようにしておけば、上記スクリーンユニット１０のメンテナンスやスクリーン１２の交換等のために、図１３に示すように、スクリーン１２をワイヤー３０ａ〜３０ｃと共に縦框部材１３，１４及びスクリーンガイド２０Ａ，２０Ｂから取り外すことが可能になる。
【００３６】
このワイヤー３０ａ〜３０ｃを縦框部材１４から容易に取り外し可能にするため、上記縦框部材１４には、図９(b)及び図１２に示すように、上記重錘３２をワイヤーの先端に着脱するための操作用開口部３５を設けて、その開口部３５を取り外し可能な蓋３６によって閉鎖し、また、上記ワイヤー３０ａ〜３０ｃを挿通する挿通路１４ｃを該ワイヤーが容易に挿脱可能なものとしている。
【００３７】
具体的には、上記ワイヤー３０ａ〜３０ｃを挿通する挿通路１４ｃは、図１０及び図１１に示すように、上記ワイヤーをその先端のフック３３と共に挿通可能であるばかりでなく、縦框部材１４における挿通路１４ｃの入口に対向する反対側面にも該入口より大きい開孔１４ｅを設け、該フック３３を挿通路１４ｃの入口からまっすぐに挿入して該開孔１４ｅに導出可能とし(図１１参照)、同開孔１４ｅから再びフック３３を該開孔の下部傾斜面により縦框部材１４内に容易に落とし込めるようにして、縦框部材１４内の狭い空間へのフック３３及びワイヤーの挿入操作を容易にしている。フック３３に対する重錘３２の取り付けは、蓋３６を開いた開口部３５を通して容易に行うことができる。
【００３８】
また、上記スクリーンユニット１０は、前述したように、スクリーンユニット１０自体の傾倒によりその上端が横枠部材３の支持溝３ｄから脱出するのを抑止するため、各縦框部材１３，１４の上端に、その傾倒時にレール３ｂに係合する凸部１５，１６を設けているが、このスクリーンユニット１０を上記横枠部材３に装着し、あるいは、メンテナンス等のために横枠部材３から取り外ことができるように、該レール３ｂの中央部に、上記凸部１５，１６を通過させ得るスリット３ｃを設けて、該スリット３ｃを横枠部材３に着脱自在としたキャップ３８により閉鎖している(図１、図１４及び図１６参照)。
【００３９】
図１５(a)及び図１５(b)は、上記スリット３ｃにキャップ３８を着脱する態様を示すもので、上記横枠部材３における垂下壁３ａの下縁で、上記レール３ｂを切除して形成した該スリット３ｃに対応する部位に、ネジ３９でキャップ３８を固定するための小孔３ｅを設け、一方、上記キャップ３８は、合成樹脂または金属等で形成され、上記スリット３ｃをレール３ｂの表面と面一で閉じる表面３８ａを有すると共に、横枠部材３の垂下壁３ａの下縁に嵌めるための切り溝３８ｂ、及び上記横枠部材３の垂下壁３ａに設けた小孔３ｅを通してネジ３９で止着するためのネジ孔３８ｃを備えている。
【００４０】
従って、図１５(a)の状態でネジ３９をネジ孔３８ｃに螺挿すればキャップ３８を上記スリット３ｃに固定でき、また、同図の状態でキャップ３８を横枠部材３の垂下壁３ａから引き出せば、図１５(b)に示すように、キャップ３８を取り外し、スクリーンユニット１０を上記横枠部材３に装着したり、横枠部材３から取り外ことができる。
【００４１】
上記スクリーンユニット１０を上記横枠部材３から取り外す場合には、図１４に示すように、横枠部材３における垂下壁３ａの下縁に固定されたキャップ３８を取り外して、該横枠部材３におけるレール３ｂのスリット３ｃを開放し（図１４参照）、次いで、上記スクリーンユニット１０を傾倒させ、図１６に示すように、上記縦框部材１４，１３の上端に設けた凸部１６，１５を順次上記スリット３ｃから脱出させることにより、上記横枠部材３からスクリーンユニット１０を取り外すことができる。逆に、上記横枠部材３にスクリーンユニット１０を取り付ける場合には、上述と逆の手順で横枠部材３にスクリーンユニット１０を取り付ければよい。
【００４２】
図１７及び図１８は、本発明の第２実施例を示すもので、この第２実施例の折畳式スクリーン装置５では、上記第１実施例におけるスクリーンユニット１０に対応するスクリーンユニット４０の一対のスクリーンガイド５０Ａ，５０Ｂを、それらの各一端を一方の縦框部材４４の上端及び他方の縦框部材４３の下端に固定し、それらの他端を、それぞれに対向する縦框部材４３，４４の上端及び下端からそれらの内部に屈曲して出入りするように配設し、張設状態にある前記と同様のアコーディオン式に伸縮自在のスクリーン４２の上端及び下端に沿って導出されて、該スクリーン４２の上端及び下端をガイドするようにしている。上記スクリーンガイド５０Ａ，５０Ｂ自体の構成は、図６によって説明した第１実施例のものと変わるところがない。また、この第２実施例は、上記スクリーンガイド５０Ａ，５０Ｂの設置構成及びそれに関連する部分の構成が第１実施例と相違する主要点であり、その他の構成及び作用は実質的に変わるところがないので、以下においてはその主要点の構成を中心に説明する。
【００４３】
上記スクリーン４２の両端部に固定した取付板５５ａ，５５ｂは、それぞれの縦框部材４３，４４におけるスクリーン４２の取付面に相対向した状態で長手方向に延伸するように設けられたところの、第１実施例の各一対の係止部片１３ａ，１３ａ及び１４ａ，１４ａ（図８(a)、図８(b)、図９(a)及び図９(b)参照）に対応する係止部片によりそれらの間に形成された係止溝（第１実施例の係止溝１３ｂ，１４ｂに対応）に係止させ、その状態で、該係止溝内に複数の前記取付部材２８を嵌め込むことにより、縦框部材４３，４４に着脱可能に係止させている。
【００４４】
上記スクリーン４２の開閉操作時において、可動の縦框部材４３，４４を平行移動させるための平行移動機構としては、上記スクリーン４２に水平に挿通した複数のワイヤー５４ａ〜５４ｃ及び上述した上下一対のスクリーンガイド５０Ａ，５０Ｂを利用している。これらのワイヤー５４ａ〜５４ｃは、第１実施例のワイヤー３０ａ〜３０ｃのように、張設状態のスクリーンを自動的に折り畳んで建物開口部を開放するような機能をもつものではなく、以下に説明する縦框部材４３，４４の平行移動機構を構成するものである。
【００４５】
即ち、上記スクリーン４２の上半側に水平に挿通したワイヤー５４ａは、その一端をスクリーンガイド５０Ａが上端から出入りする縦框部材４３に係止させた上記取付板５５ａに固定すると共に、そのワイヤー５４ａの他端をスクリーン４２及び他方の縦框部材４４の取付板５５ｂに挿通したうえで、該取付板５５ｂに沿ってその下部に導き、該下部に設けた転向子５３ａにより上方に転向させて、その先端を、該縦框部材４４に下端から出入りするスクリーンガイド５０Ｂの先端に固定し、一方、上記スクリーン４２の下半側に水平に挿通したワイヤー５４ｂ，５４ｃは、それらの各一端をスクリーンガイド５０Ｂが下端から出入りする縦框部材４４に係止させた上記取付板５５ｂに固定すると共に、それらのワイヤー５４ｂ，５４ｃの他端を他方の縦框部材４３の取付板５５ａに挿通したうえで、該取付板５５ａに沿ってその上部に導き、該上部に設けた転向子５３ｂにより下方に転向させて、その先端を、該縦框部材４３に上端から出入りするスクリーンガイド５０Ａの先端に固定している。
【００４６】
このように構成すると、上記縦框部材４３，４４によるスクリーン４２の開閉操作に連動して、各スクリーンガイド５０Ａ，５０Ｂがスクリーン４２の上下に沿うように導出入され、スクリーン４２の上下端部をそれぞれガイドすると同時に、両スクリーンガイド５０Ａ，５０Ｂの先端の移動量と等長だけ取付板５５ａ，５５ｂ間のワイヤー５４ａ〜５４ｃ長が変わることになり、結果的に上記縦框部材４３，４４を安定的に平行移動させることができる。
【００４７】
また、この折畳式スクリーン装置５においては、上記スクリーンユニット４０のメンテナンスや、スクリーン４２及びワイヤー５４ａ〜５４ｃの交換等のために、該ワイヤー５４ａ〜５４ｃを挿通したスクリーン４２をその両端の取付板５５ａ，５５ｂと共に両縦框部材４３，４４から離脱可能に構成している。
【００４８】
即ち、図１８に示すように、上記スクリーン４２の両端部に固定した取付板５５ａ，５５ｂは、上述したように、それぞれ縦框部材４３，４４に取付部材２８により着脱可能に係止させているので、両縦框部材４３，４４から離脱させることができる。更に、上記スクリーン４２の上半及び下半に挿通したワイヤー５４ａ〜５４ｃは、それらの一端を、それぞれ縦框部材４３，４４に係止させた上記取付板５５ａ，５５ｂに固定しているので、上記取付板５５ａ，５５ｂと共に両縦框部材４３，４４から離脱させることができ、また、それらのワイヤー５４ｂ，５４ｃの他端は、他方の縦框部材４３，４４の取付板５５ａ，５５ｂに挿通したうえで、該取付板に沿って、縦框部材４３，４４におけるスクリーン１２の取付面に設けた凹溝（第１実施例の凹溝２９ａと同様の凹溝）内を下部及び上部方向に導き、該下部及び上部で縦框部材４３，４４に設けた転向子５３ａ，５３ｂにより反対方向に転向させて、それらの先端を縦框部材４３，４４に上端及び下端から出入りするスクリーンガイド５０Ａ，５０Ｂの先端に着脱自在に固定しているので、上記各ワイヤー５４ａ〜５４ｃの先端をスクリーンガイド５０Ａ，５０Ｂの先端から離脱させることにより、該ワイヤー５４ａ〜５４ｃを挿通したスクリーン４２をその両端の取付板５５ａ，５５ｂと共に両縦框部材４３，４４から取り外すことができる。なお、縦框部材４３，４４には必要に応じて各ワイヤー５４ａ〜５４ｃの先端をスクリーンガイド５０Ａ，５０Ｂの先端に着脱するための操作用開口部を設けることができる。
【００４９】
上記スクリーン装置５は、上述したところから明らかなように、スクリーン４２をスクリーンユニット４０内において建物開口部２に設けた横枠部材３に沿って開閉できると同時に、該スクリーンユニット４０の複数を上記横枠部材３に沿ってスライド移動できるものである。そして、複数のスクリーンユニット４０における隣接する縦框部材４３，４４は、マグネット４７及びそれに吸着する吸着板４８等からなる連結手段により、相互に着脱可能に連結され、それによって、一部のスクリーンユニット４０の開閉操作で複数のスクリーンユニット４０を全体的に開閉操作することを可能にしている。
【００５０】
また、前記第１実施例のスクリーン装置と同様に、上記スクリーン４２の下端をガイドするスクリーンガイド５０Ｂを、所期のコースに沿って安定的に摺動できるようにするため、建物開口部２の床面上には、スクリーン４２の下端に沿って導出されるスクリーンガイド５０Ｂの移動をガイドするガイドレール４が敷設される。そして、図６に示すように、スクリーンガイドのガイド駒２１には、その底部２１ａの裏面両側端に設けたガイド用突条２１ｄを上記ガイドレール４の外側に嵌め合わせることにより、上記スクリーンガイド５０Ｂがガイドレール４に沿って安定的に摺動できるようにしている。
【００５１】
一方、建物開口部２の上部においてスクリーンユニット４０の移動をガイドする横枠部材３は、第１実施例の場合と実質的に同じ構成を備え、一対の垂下壁（図３の３ａ）の間に、各スクリーンユニット４０における一対の縦框部材４３．４４の上端を摺動自在に嵌挿保持させる支持溝（図３の３ｄ）を形成し、該支持溝の口縁部に一対のレール３ｂを設け、縦框部材４３，４４の上端の表裏面側に、スクリーンユニット４０自体の傾倒によりその上端が支持溝３ｄから脱出するのを抑止するための凸部４５，４６を設けている。
上記凸部４５，４６は、第１実施例の場合と同様に、レール３ｂ上を転動するローラによって形成したものであるが、必ずしもローラとする必要はない。
【００５２】
また、上記スクリーンユニット４０を横枠部材３の支持溝３ｄに装着し、あるいは、該横枠部材３から取り外ことができるように、上記レール３ｂの中央部に、上記凸部４５，４６を通過させ得るスリットを設けて、該スリットを横枠部材３に着脱自在としたキャップ３８により閉鎖しているが、その構造は、第１実施例において説明したものと変わるところがないので、ここではその説明を省略する。
【図面の簡単な説明】
【００５３】
【図１】本発明に係る折畳式スクリーン装置の第１実施例を示す一部破断正面図である。
【図２】同平断面図である。
【図３】同側端面図である。
【図４】建物開口部に上記折畳式スクリーン装置を設置してスクリーンを張設した状態を示す正面図である。
【図５】図４の折畳式スクリーン装置において一部のスクリーンユニットを開放した状態を示す正面図である。
【図６】スクリーンガイドの構成を示す要部拡大斜視図である。
【図７】横枠部材と凸部（ローラ）との関連的構成を示す部分正面図である。
【図８（ａ）】縦框部材１３にスクリーンを脱着する態様を説明するための部分斜視図である。
【図８（ｂ）】縦框部材１４にスクリーンを脱着する態様を説明するための部分斜視図である。
【図９（ａ）】図８（ａ）において取付部材を着脱する態様を説明する部分断面図である。
【図９（ｂ）】図８（ｂ）において取付部材を着脱する態様を説明する部分断面図である。
【図１０】縦框部材内へのワイヤーの導入態様を説明する部分正断面図である。
【図１１】縦框部材内へのワイヤーの導入態様を説明する部分斜視図である。
【図１２】ワイヤーの先端への重錘の着脱態様を説明する部分斜視図である。
【図１３】ワイヤーを挿通したスクリーンを縦框部材及びスクリーンガイドに着脱する態様を説明する分解正面図である。
【図１４】横枠部材からスクリーンユニットを脱着する手順を説明するための正面図である。
【図１５（ａ）】横枠部材に対してキャップを脱着する態様を説明する部分拡大側断面図である。
【図１５（ｂ）】横枠部材に対してキャップを脱着する態様を説明する部分拡大側断面図である。
【図１６】横枠部材からスクリーンユニットを脱着する手順を説明するための正面図である。
【図１７】本発明に係る折畳式スクリーン装置の第２実施例を示す一部破断正面図である。
【図１８】ワイヤーを挿通したスクリーンを縦框部材及びスクリーンガイドに着脱する態様を説明する分解正面図である。
【符号の説明】
【００５４】
１，５    スクリーン装置
２    建物開口部
３    横枠部材
３ｂ  レール
３ｃ  スリット
３ｄ  支持溝
１０，４０  スクリーンユニット
１２，４２  スクリーン
１３，１４，４３，４４  縦框部材
１５，１６，４５，４６  凸部
２０Ａ，２０Ｂ，５０Ａ，５０Ｂ  スクリーンガイド
２１    ガイド駒
２４，５４ａ〜５４ｃ  ワイヤー
２５ａ，２５ｂ，５５ａ，５５ｂ  取付板
２８    取付部材
３０ａ〜３０ｃ  ワイヤー
３２    重錘
３５    操作用開口部
３８    キャップ
【図１】
2007154425.tif 000003
【図２】
2007154425.tif 000004
【図３】
2007154425.tif 000005
【図４】
2007154425.tif 000006
【図５】
2007154425.tif 000007
【図６】
2007154425.tif 000008
【図７】
2007154425.tif 000009
【図８（ａ）】
2007154425.tif 000010
【図８（ｂ）】
2007154425.tif 000011
【図９（ａ）】
2007154425.tif 000012
【図９（ｂ）】
2007154425.tif 000013
【図１０】
2007154425.tif 000014
【図１１】
2007154425.tif 000015
【図１２】
2007154425.tif 000016
【図１３】
2007154425.tif 000017
【図１４】
2007154425.tif 000018
【図１５（ａ）】
2007154425.tif 000019
【図１５（ｂ）】
2007154425.tif 000020
【図１６】
2007154425.tif 000021
【図１７】
2007154425.tif 000022
【図１８】
2007154425.tif 000023